(57)【要約】【課題】高品位な画像表示を行う電気光学装置の駆動方法を供給する事。【解決手段】画素４８を備えた電気光学装置で、１枚のフレーム画像は第一フィールド画像と第二フィールド画像とを含み、第一フィールド画像を形成する走査信号では、選択状態の期間中にクロック信号ＣＬＹが高電位から低電位へと切り替わり、第二フィールド画像を形成する走査信号では、選択状態の期間中にクロック信号ＣＬＹが低電位から高電位へと切り替わる。第一フィールド画像と第二フィールド画像とでクロック信号ＣＬＹの切り替わり方向が反対なので、クロック信号ＣＬＹ切り替えの影響を第一フィールド画像と第二フィールド画像とで相殺する事ができ、画像品位が向上する。【選択図】図７
2014122951.tif 000002
【特許請求の範囲】
【請求項１】
画素と、前記画素に走査信号を供給する走査線駆動回路と、を備えた電気光学装置に対して、
前記走査信号は選択状態と非選択状態とを有し、
前記走査線駆動回路は低電位と高電位とが繰り返されるクロック信号を用いて前記走査信号を生成し、
１枚のフレーム画像は第一フィールド画像と第二フィールド画像とを含み、
前記第一フィールド画像を形成する走査信号では、前記選択状態の期間中に前記クロック信号が前記高電位から前記低電位へと切り替わり、
前記第二フィールド画像を形成する走査信号では、前記選択状態の期間中に前記クロック信号が前記低電位から前記高電位へと切り替わる事を特徴とする電気光学装置の駆動方法。
【請求項２】
画素と、前記画素に走査信号を供給する走査線駆動回路と、を備えた電気光学装置に対して、
前記走査信号は選択状態と非選択状態とを有し、
前記走査線駆動回路は低電位と高電位とが繰り返されるクロック信号を用いて前記走査信号を生成し、
１枚のフレーム画像は第一フィールド画像と第二フィールド画像とを含み、
前記第一フィールド画像を形成する走査信号では、前記選択状態の期間中に前記クロック信号が前記低電位から前記高電位へと切り替わり、
前記第二フィールド画像を形成する走査信号では、前記選択状態の期間中に前記クロック信号が前記高電位から前記低電位へと切り替わる事を特徴とする電気光学装置の駆動方法。
【請求項３】
前記走査線駆動回路に電気的に接続する走査線を備え、
前記第一フィールド画像は、前記走査線で隣り合う２本の走査線の組みをラインペアとして、ラインペア毎に選択されるラインペア走査を用いて形成され、
前記第二フィールド画像は、前記走査線で隣り合う２本の走査線で有って、前記ラインペアとは異なる走査線の組みをずらしラインペアとして、ずらしラインペア毎に選択されるずらしラインペア走査を用いて形成される事を特徴とする請求項１又は２に記載の電気光学装置の駆動方法。
【請求項４】
第１の走査線と、前記第１の走査線に接続する第１の画素と、
前記第１の走査線に隣り合う第２の走査線と、前記第２の走査線に接続する第２の画素と、
前記第２の走査線に隣り合う第３の走査線と、前記第３の走査線に接続する第３の画素と、
前記第３の走査線に隣り合う第４の走査線と、前記第４の走査線に接続する第４の画素と、
前記第４の走査線に隣り合う第５の走査線と、前記第５の走査線に接続する第５の画素と、
前記第１の画素と前記第２の画素と前記第３の画素と前記第４の画素と前記第５の画素とに画像信号を供給する信号線と、を備えた電気光学装置の駆動方法であって、
１フレームを構成するフレーム画像は、第一フィールド画像と第二フィールド画像とを含み、
前記第一フィールド画像は、
第一選択期間で、前記第１の走査線と前記第２の走査線とを選択状態として、前記第１の画素と前記第２の画素とに、前記第１の画素に対応する第１の画像信号を供給し、
前記第一選択期間に続く第二選択期間で、前記第３の走査線と前記第４の走査線とを選択状態として、前記第３の画素と前記第４の画素とに、前記第３の画素に対応する第３の画像信号を供給する事で形成され、
前記第二フィールド画像は、
第三選択期間で、前記第２の走査線と前記第３の走査線とを選択状態として、前記第２の画素と前記第３の画素とに、前記第２の画素に対応する第２の画像信号を供給し、
前記第三選択期間に続く第四選択期間で、前記第４の走査線と前記第５の走査線とを選択状態として、前記第４の画素と前記第５の画素とに、前記第４の画素に対応する画像信号を供給する事で形成され、
前記選択状態は低電位と高電位とが繰り返されるクロック信号に応じて生成され、
前記第一選択期間と前記第二選択期間とでは前記クロック信号が前記高電位から前記低電位へと切り替わり、
前記第三選択期間と前記第四選択期間とでは前記クロック信号が前記低電位から前記高電位へと切り替わる事を特徴とする電気光学装置の駆動方法。
【請求項５】
第１の走査線と、前記第１の走査線に接続する第１の画素と、
前記第１の走査線に隣り合う第２の走査線と、前記第２の走査線に接続する第２の画素と、
前記第２の走査線に隣り合う第３の走査線と、前記第３の走査線に接続する第３の画素と、
前記第３の走査線に隣り合う第４の走査線と、前記第４の走査線に接続する第４の画素と、
前記第４の走査線に隣り合う第５の走査線と、前記第５の走査線に接続する第５の画素と、
前記第１の画素と前記第２の画素と前記第３の画素と前記第４の画素と前記第５の画素とに画像信号を供給する信号線と、を備えた電気光学装置の駆動方法であって、
１フレームを構成するフレーム画像は、第一フィールド画像と第二フィールド画像とを含み、
前記第一フィールド画像は、
第一選択期間で、前記第１の走査線と前記第２の走査線とを選択状態として、前記第１の画素と前記第２の画素とに、前記第１の画素に対応する第１の画像信号を供給し、
前記第一選択期間に続く第二選択期間で、前記第３の走査線と前記第４の走査線とを選択状態として、前記第３の画素と前記第４の画素とに、前記第３の画素に対応する第３の画像信号を供給する事で形成され、
前記第二フィールド画像は、
第三選択期間で、前記第２の走査線と前記第３の走査線とを選択状態として、前記第２の画素と前記第３の画素とに、前記第２の画素に対応する第２の画像信号を供給し、
前記第三選択期間に続く第四選択期間で、前記第４の走査線と前記第５の走査線とを選択状態として、前記第４の画素と前記第５の画素とに、前記第４の画素に対応する画像信号を供給する事で形成され、
前記選択状態は低電位と高電位とが繰り返されるクロック信号に応じて生成され、
前記第一選択期間と前記第二選択期間とでは前記クロック信号が前記低電位から前記高電位へと切り替わり、
前記第三選択期間と前記第四選択期間とでは前記クロック信号が前記高電位から前記低電位へと切り替わる事を特徴とする電気光学装置の駆動方法。
【請求項６】
前記走査線駆動回路に電気的に接続する走査線を備え、
前記第一フィールド画像は、前記走査線で隣り合う２本の走査線の組みをずらしラインペアとして、ずらしラインペア毎に選択されるずらしラインペア走査を用いて形成され、
前記第二フィールド画像は、前記走査線が一本おきに選択される飛び越し走査を用いて形成される事を特徴とする請求項１又は２に記載の電気光学装置の駆動方法。
【請求項７】
第１の走査線と、前記第１の走査線に接続する第１の画素と、
前記第１の走査線に隣り合う第２の走査線と、前記第２の走査線に接続する第２の画素と、
前記第２の走査線に隣り合う第３の走査線と、前記第３の走査線に接続する第３の画素と、
前記第３の走査線に隣り合う第４の走査線と、前記第４の走査線に接続する第４の画素と、
前記第４の走査線に隣り合う第５の走査線と、前記第５の走査線に接続する第５の画素と、
前記第１の画素と前記第２の画素と前記第３の画素と前記第４の画素と前記第５の画素とに画像信号を供給する信号線と、を備えた電気光学装置の駆動方法であって、
１フレームを構成するフレーム画像は、第一フィールド画像と第二フィールド画像とを含み、
前記第一フィールド画像は、
選択期間−１で、前記第２の走査線と前記第３の走査線とを選択状態として、前記第２の画素と前記第３の画素とに、前記第２の画素に対応する第２の画像信号を供給し、
前記選択期間−１に続く選択期間−２で、前記第４の走査線と前記第５の走査線とを選択状態として、前記第４の画素と前記第５の画素とに、前記第４の画素に対応する画像信号を供給する事で形成され、
前記第二フィールド画像は、
選択期間−３で、前記第１の走査線を選択状態として、前記第１の画素に、前記第１の画素に対応する第１の画像信号を供給し、
前記選択期間−３に続く選択期間−４で、前記第３の走査線を選択状態として、前記第３の画素に、前記第３の画素に対応する画像信号を供給する事で形成され、
前記選択状態は低電位と高電位とが繰り返されるクロック信号に応じて生成され、
前記選択期間−３と前記選択期間−４とでは前記クロック信号が前記高電位から前記低電位へと切り替わり、
前記選択期間−１と前記選択期間−２とでは前記クロック信号が前記低電位から前記高電位へと切り替わる事を特徴とする電気光学装置の駆動方法。
【請求項８】
第１の走査線と、前記第１の走査線に接続する第１の画素と、
前記第１の走査線に隣り合う第２の走査線と、前記第２の走査線に接続する第２の画素と、
前記第２の走査線に隣り合う第３の走査線と、前記第３の走査線に接続する第３の画素と、
前記第３の走査線に隣り合う第４の走査線と、前記第４の走査線に接続する第４の画素と、
前記第４の走査線に隣り合う第５の走査線と、前記第５の走査線に接続する第５の画素と、
前記第１の画素と前記第２の画素と前記第３の画素と前記第４の画素と前記第５の画素とに画像信号を供給する信号線と、を備えた電気光学装置の駆動方法であって、
１フレームを構成するフレーム画像は、第一フィールド画像と第二フィールド画像とを含み、
前記第一フィールド画像は、
選択期間−１で、前記第２の走査線と前記第３の走査線とを選択状態として、前記第２の画素と前記第３の画素とに、前記第２の画素に対応する第２の画像信号を供給し、
前記選択期間−１に続く選択期間−２で、前記第４の走査線と前記第５の走査線とを選択状態として、前記第４の画素と前記第５の画素とに、前記第４の画素に対応する画像信号を供給する事で形成され、
前記第二フィールド画像は、
選択期間−３で、前記第１の走査線を選択状態として、前記第１の画素に、前記第１の画素に対応する第１の画像信号を供給し、
前記選択期間−３に続く選択期間−４で、前記第３の走査線を選択状態として、前記第３の画素に、前記第３の画素に対応する画像信号を供給する事で形成され、
前記選択状態は低電位と高電位とが繰り返されるクロック信号に応じて生成され、
前記選択期間−３と前記選択期間−４とでは前記クロック信号が前記低電位から前記高電位へと切り替わり、
前記選択期間−１と前記選択期間−２とでは前記クロック信号が前記高電位から前記低電位へと切り替わる事を特徴とする電気光学装置の駆動方法。
【請求項９】
電気光学装置に信号を供給し、
請求項１乃至８のいずれか一項に記載の電気光学装置の駆動方法を実現する事を特徴とする駆動装置。
【請求項１０】
請求項１乃至８のいずれか一項に記載の電気光学装置の駆動方法により駆動される事を特徴とする電気光学装置。
【請求項１１】
請求項１０に記載の電気光学装置を有する事を特徴とする電子機器。
【発明の詳細な説明】
【技術分野】
【０００１】
本発明は、電気光学装置の駆動方法、駆動装置、電気光学装置、及び電子機器に関する。
【背景技術】
【０００２】
表示機能が付いた電子機器では、透過型電気光学装置や反射型電気光学装置が使用されている。これらの電気光学装置に光が照射され、電気光学装置により変調された透過光や反射光が表示画像となったり、或いはスクリーンに投影されて投射画像となったりしている。この様な電子機器に使用される電気光学装置としては液晶装置が知られており、これは液晶の誘電異方性と液晶層における光の旋光性とを利用して画像を形成する物である。液晶装置では、画像表示領域に走査線と信号線とが配置されて、これらの交点に画素が行列状に配置されている。画素には画素トランジスターが設けられ、画素トランジスターを介して各画素に画像信号を供給する事で画像が形成される。
【０００３】
表示機能が付いた電子機器で立体映像（三次元映像）や表示品質の高い映像を得るには、液晶装置は高精細な画像を高速で表示する必要性がある。こうした高精細画像の高速表示の方法は、例えば特許文献１に記載されている。特許文献１では、走査線を二本ずつ選択して解像度の低い第一の画像を表示した後に、走査線を一本おきに選択して解像度の低いい第二の画像を表示し、第一の画像と第二の画像とを合わせて、高解像度の画像としている。
【先行技術文献】
【特許文献】
【０００４】
【特許文献１】特開２０１２−４９６４５号公報
【発明の概要】
【発明が解決しようとする課題】
【０００５】
しかしながら、特許文献１に記載されている表示方法では、表示された画像品位が低いという課題があった。具体的には、特許文献１に記載されている表示方法を採用した場合、表示領域の横方向の中央付近に輝度が変化した縦帯が発生していた。換言すると、従来の電気光学装置の駆動方法では、高精細画像の高速表示と高品位の映像とを両立し難いという課題があった。
【課題を解決するための手段】
【０００６】
本発明は、前述の課題の少なくとも一部を解決する為になされたものであり、以下の形態又は適用例として実現する事が可能である。
【０００７】
（適用例１）  本適用例に係わる電気光学装置の駆動方法は、画素と、画素に走査信号を供給する走査線駆動回路と、を備えた電気光学装置に対して、走査信号は選択状態と非選択状態とを有し、走査線駆動回路は低電位と高電位とが繰り返されるクロック信号を用いて走査信号を生成し、１枚のフレーム画像は第一フィールド画像と第二フィールド画像とを含み、第一フィールド画像を形成する走査信号では、選択状態の期間中にクロック信号が高電位から低電位へと切り替わり、第二フィールド画像を形成する走査信号では、選択状態の期間中にクロック信号が低電位から高電位へと切り替わる事を特徴とする。
この方法によれば、第一フィールド画像と第二フィールド画像とでクロック信号の切り替わり方向が反対なので、クロック信号切り替えの影響を第一フィールド画像と第二フィールド画像とで相殺する事ができる。従って、表示領域の横方向の中央付近で輝度が変化する縦帯の発生が抑制され、画像品位が向上する。
【０００８】
（適用例２）  本適用例に係わる電気光学装置の駆動方法は、画素と、画素に走査信号を供給する走査線駆動回路と、を備えた電気光学装置に対して、走査信号は選択状態と非選択状態とを有し、走査線駆動回路は低電位と高電位とが繰り返されるクロック信号を用いて走査信号を生成し、１枚のフレーム画像は第一フィールド画像と第二フィールド画像とを含み、第一フィールド画像を形成する走査信号では、選択状態の期間中にクロック信号が低電位から高電位へと切り替わり、第二フィールド画像を形成する走査信号では、選択状態の期間中にクロック信号が高電位から低電位へと切り替わる事を特徴とする。
この方法によれば、第一フィールド画像と第二フィールド画像とでクロック信号の切り替わり方向が反対なので、クロック信号切り替えの影響を第一フィールド画像と第二フィールド画像とで相殺する事ができる。従って、表示領域の横方向の中央付近で輝度が変化する縦帯の発生が抑制され、画像品位が向上する。
【０００９】
（適用例３）  上記適用例１又は２に係わる電気光学装置の駆動方法において、走査線駆動回路に電気的に接続する走査線を備え、第一フィールド画像は、走査線で隣り合う２本の走査線の組みをラインペアとして、ラインペア毎に選択されるラインペア走査を用いて形成され、第二フィールド画像は、走査線で隣り合う２本の走査線で有って、ラインペアとは異なる走査線の組みをずらしラインペアとして、ずらしラインペア毎に選択されるずらしラインペア走査を用いて形成される事が好ましい。
この方法によれば、第一フィールド画像と第二フィールド画像とでクロック信号の切り替わり方向が反対なので、クロック信号切り替えの影響を第一フィールド画像と第二フィールド画像とで相殺する事ができる。従って、表示領域の横方向の中央付近で輝度が変化する縦帯の発生が抑制され、画像品位が向上する。更に第一フィールド画像と第二フィールド画像とで、走査線が二本ずつ選択されるので、高精細な画像を短時間に表示する事ができる。換言すると、高精細画像の高速表示と高品位の映像とを両立させる事ができる。
【００１０】
（適用例４）  本適用例に係わる電気光学装置の駆動方法は、第１の走査線と、第１の走査線に接続する第１の画素と、第１の走査線に隣り合う第２の走査線と、第２の走査線に接続する第２の画素と、第２の走査線に隣り合う第３の走査線と、第３の走査線に接続する第３の画素と、第３の走査線に隣り合う第４の走査線と、第４の走査線に接続する第４の画素と、第４の走査線に隣り合う第５の走査線と、第５の走査線に接続する第５の画素と、第１の画素と第２の画素と第３の画素と第４の画素と第５の画素とに画像信号を供給する信号線と、を備えた電気光学装置の駆動方法であって、１フレームを構成するフレーム画像は、第一フィールド画像と第二フィールド画像とを含み、第一フィールド画像は、第一選択期間で、第１の走査線と第２の走査線とを選択状態として、第１の画素と第２の画素とに、第１の画素に対応する第１の画像信号を供給し、第一選択期間に続く第二選択期間で、第３の走査線と第４の走査線とを選択状態として、第３の画素と第４の画素とに、第３の画素に対応する第３の画像信号を供給する事で形成され、第二フィールド画像は、第三選択期間で、第２の走査線と第３の走査線とを選択状態として、第２の画素と第３の画素とに、第２の画素に対応する第２の画像信号を供給し、第三選択期間に続く第四選択期間で、第４の走査線と第５の走査線とを選択状態として、第４の画素と第５の画素とに、第４の画素に対応する画像信号を供給する事で形成され、選択状態は低電位と高電位とが繰り返されるクロック信号に応じて生成され、第一選択期間と第二選択期間とではクロック信号が高電位から低電位へと切り替わり、第三選択期間と第四選択期間とではクロック信号が低電位から高電位へと切り替わる事を特徴とする。
この方法によれば、第一フィールド画像と第二フィールド画像とでクロック信号の切り替わり方向が反対なので、クロック信号切り替えの影響を第一フィールド画像と第二フィールド画像とで相殺する事ができる。従って、表示領域の横方向の中央付近で輝度が変化する縦帯の発生が抑制され、画像品位が向上する。更に第一フィールド画像と第二フィールド画像とで、走査線が二本ずつ選択されるので、高精細な画像を短時間に表示する事ができる。換言すると、高精細画像の高速表示と高品位の映像とを両立させる事ができる。
【００１１】
（適用例５）  本適用例に係わる電気光学装置の駆動方法は、第１の走査線と、第１の走査線に接続する第１の画素と、第１の走査線に隣り合う第２の走査線と、第２の走査線に接続する第２の画素と、第２の走査線に隣り合う第３の走査線と、第３の走査線に接続する第３の画素と、第３の走査線に隣り合う第４の走査線と、第４の走査線に接続する第４の画素と、第４の走査線に隣り合う第５の走査線と、第５の走査線に接続する第５の画素と、第１の画素と第２の画素と第３の画素と第４の画素と第５の画素とに画像信号を供給する信号線と、を備えた電気光学装置の駆動方法であって、１フレームを構成するフレーム画像は、第一フィールド画像と第二フィールド画像とを含み、第一フィールド画像は、第一選択期間で、第１の走査線と第２の走査線とを選択状態として、第１の画素と第２の画素とに、第１の画素に対応する第１の画像信号を供給し、第一選択期間に続く第二選択期間で、第３の走査線と第４の走査線とを選択状態として、第３の画素と第４の画素とに、第３の画素に対応する第３の画像信号を供給する事で形成され、第二フィールド画像は、第三選択期間で、第２の走査線と第３の走査線とを選択状態として、第２の画素と第３の画素とに、第２の画素に対応する第２の画像信号を供給し、第三選択期間に続く第四選択期間で、第４の走査線と第５の走査線とを選択状態として、第４の画素と第５の画素とに、第４の画素に対応する画像信号を供給する事で形成され、選択状態は低電位と高電位とが繰り返されるクロック信号に応じて生成され、第一選択期間と第二選択期間とではクロック信号が低電位から高電位へと切り替わり、第三選択期間と第四選択期間とではクロック信号が高電位から低電位へと切り替わる事を特徴とする。
この方法によれば、第一フィールド画像と第二フィールド画像とでクロック信号の切り替わり方向が反対なので、クロック信号切り替えの影響を第一フィールド画像と第二フィールド画像とで相殺する事ができる。従って、表示領域の横方向の中央付近で輝度が変化する縦帯の発生が抑制され、画像品位が向上する。更に第一フィールド画像と第二フィールド画像とで、走査線が二本ずつ選択されるので、高精細な画像を短時間に表示する事ができる。換言すると、高精細画像の高速表示と高品位の映像とを両立させる事ができる。
【００１２】
（適用例６）  上記適用例１又は２に係わる電気光学装置の駆動方法において、走査線駆動回路に電気的に接続する走査線を備え、第一フィールド画像は、走査線で隣り合う２本の走査線の組みをずらしラインペアとして、ずらしラインペア毎に選択されるずらしラインペア走査を用いて形成され、第二フィールド画像は、走査線が一本おきに選択される飛び越し走査を用いて形成される事が好ましい。
この方法によれば、第一フィールド画像と第二フィールド画像とでクロック信号の切り替わり方向が反対なので、クロック信号切り替えの影響を第一フィールド画像と第二フィールド画像とで相殺する事ができる。従って、表示領域の横方向の中央付近で輝度が変化する縦帯の発生が抑制され、画像品位が向上する。更に第一フィールド画像では走査線が二本ずつ選択され、第二フィールド画像では走査線が一本おきに選択されるので、高精細な画像を短時間に表示する事ができる。換言すると、高精細画像の高速表示と高品位の映像とを両立させる事ができる。
【００１３】
（適用例７）  本適用例に係わる電気光学装置の駆動方法は、第１の走査線と、第１の走査線に接続する第１の画素と、第１の走査線に隣り合う第２の走査線と、第２の走査線に接続する第２の画素と、第２の走査線に隣り合う第３の走査線と、第３の走査線に接続する第３の画素と、第３の走査線に隣り合う第４の走査線と、第４の走査線に接続する第４の画素と、第４の走査線に隣り合う第５の走査線と、第５の走査線に接続する第５の画素と、第１の画素と第２の画素と第３の画素と第４の画素と第５の画素とに画像信号を供給する信号線と、を備えた電気光学装置の駆動方法であって、１フレームを構成するフレーム画像は、第一フィールド画像と第二フィールド画像とを含み、第一フィールド画像は、選択期間−１で、第２の走査線と第３の走査線とを選択状態として、第２の画素と第３の画素とに、第２の画素に対応する第２の画像信号を供給し、選択期間−１に続く選択期間−２で、第４の走査線と第５の走査線とを選択状態として、第４の画素と第５の画素とに、第４の画素に対応する画像信号を供給する事で形成され、第二フィールド画像は、選択期間−３で、第１の走査線を選択状態として、第１の画素に、第１の画素に対応する第１の画像信号を供給し、選択期間−３に続く選択期間−４で、第３の走査線を選択状態として、第３の画素に、第３の画素に対応する画像信号を供給する事で形成され、選択状態は低電位と高電位とが繰り返されるクロック信号に応じて生成され、選択期間−３と選択期間−４とではクロック信号が高電位から低電位へと切り替わり、選択期間−１と選択期間−２とではクロック信号が低電位から高電位へと切り替わる事を特徴とする。
この方法によれば、第一フィールド画像と第二フィールド画像とでクロック信号の切り替わり方向が反対なので、クロック信号切り替えの影響を第一フィールド画像と第二フィールド画像とで相殺する事ができる。従って、表示領域の横方向の中央付近で輝度が変化する縦帯の発生が抑制され、画像品位が向上する。更に第一フィールド画像では走査線が二本ずつ選択され、第二フィールド画像では走査線が一本おきに選択されるので、高精細な画像を短時間に表示する事ができる。換言すると、高精細画像の高速表示と高品位の映像とを両立させる事ができる。
【００１４】
（適用例８）  本適用例に係わる電気光学装置の駆動方法は、第１の走査線と、第１の走査線に接続する第１の画素と、第１の走査線に隣り合う第２の走査線と、第２の走査線に接続する第２の画素と、第２の走査線に隣り合う第３の走査線と、第３の走査線に接続する第３の画素と、第３の走査線に隣り合う第４の走査線と、第４の走査線に接続する第４の画素と、第４の走査線に隣り合う第５の走査線と、第５の走査線に接続する第５の画素と、第１の画素と第２の画素と第３の画素と第４の画素と第５の画素とに画像信号を供給する信号線と、を備えた電気光学装置の駆動方法であって、１フレームを構成するフレーム画像は、第一フィールド画像と第二フィールド画像とを含み、第一フィールド画像は、選択期間−１で、第２の走査線と第３の走査線とを選択状態として、第２の画素と第３の画素とに、第２の画素に対応する第２の画像信号を供給し、選択期間−１に続く選択期間−２で、第４の走査線と第５の走査線とを選択状態として、第４の画素と第５の画素とに、第４の画素に対応する画像信号を供給する事で形成され、第二フィールド画像は、選択期間−３で、第１の走査線を選択状態として、第１の画素に、第１の画素に対応する第１の画像信号を供給し、選択期間−３に続く選択期間−４で、第３の走査線を選択状態として、第３の画素に、第３の画素に対応する画像信号を供給する事で形成され、選択状態は低電位と高電位とが繰り返されるクロック信号に応じて生成され、選択期間−３と選択期間−４とではクロック信号が低電位から高電位へと切り替わり、選択期間−１と選択期間−２とではクロック信号が高電位から低電位へと切り替わる事を特徴とする。
この方法によれば、第一フィールド画像と第二フィールド画像とでクロック信号の切り替わり方向が反対なので、クロック信号切り替えの影響を第一フィールド画像と第二フィールド画像とで相殺する事ができる。従って、表示領域の横方向の中央付近で輝度が変化する縦帯の発生が抑制され、画像品位が向上する。更に第一フィールド画像では走査線が二本ずつ選択され、第二フィールド画像では走査線が一本おきに選択されるので、高精細な画像を短時間に表示する事ができる。換言すると、高精細画像の高速表示と高品位の映像とを両立させる事ができる。
【００１５】
（適用例９）  本適用例に係わる駆動装置は、電気光学装置に信号を供給し、適用例１乃至８のいずれか一項に記載の電気光学装置の駆動方法を実現する事を特徴とする。
この構成によれば、高品位の映像を高速に表示する信号を電気光学装置に供給する事ができる。
【００１６】
（適用例１０）  本適用例に係わる電気光学装置は、適用例１乃至８のいずれか一項に記載の電気光学装置の駆動方法により駆動される事を特徴とする。
この構成によれば、高品位の映像を高速に表示する電気光学装置を実現できる。
【００１７】
（適用例１１）  本適用例に係わる電子機器は、適用例１０に記載の電気光学装置を有する事を特徴とする。
この構成によれば、高品位の映像を高速に表示する電子機器を実現できる。
【図面の簡単な説明】
【００１８】
【図１】電子機器の一例である投射型表示装置（３板式のプロジェクター）の模式図。
【図２】電子機器の回路構成図。
【図３】画素の回路図。
【図４】走査線駆動回路の回路構成図。
【図５】実施形態１にてラインペア画像を形成する際に、電気光学装置に供給される各種の信号と表示画像とを説明する図。
【図６】実施形態１にてずらしラインペア画像を形成する際に、電気光学装置に供給される各種の信号と表示画像とを説明する図。
【図７】電子機器にて三次元画像を表示する方法を説明する図。
【図８】実施形態２にて飛び越し画像を形成する際に、電気光学装置に供給される各種の信号と表示画像とを説明する図。
【図９】電子機器にて三次元画像を表示する方法を説明する図。
【発明を実施するための形態】
【００１９】
以下、本発明の実施形態について、図面を参照して説明する。尚、以下の各図においては、各層や各部材を認識可能な程度の大きさにするため、各層や各部材の尺度を実際とは異ならせしめている。
【００２０】
（実施形態１）
「電子機器の概要」
図１は、電子機器の一例である投射型表示装置（３板式のプロジェクター）の模式図である。以下、図１を参照して電子機器の構成を説明する。
【００２１】
電子機器（投射型表示装置１０００）は、３枚の電気光学装置２０（図２参照、以下、第一パネル２０１、第二パネル２０２、第三パネル２０３と略称する）と、これら電気光学装置２０に制御信号を供給する制御装置３０と、を少なくとも有している。第一パネル２０１と第二パネル２０２と第三パネル２０３とは、相異なる表示色（赤色や緑色、青色）に対応する３個の電気光学装置２０である。以下、特に第一パネル２０１と第二パネル２０２と第三パネル２０３とを区別する必要がなければ、これらを纏めて単に電気光学装置２０と称する。
【００２２】
照明光学系１１００は、照明装置（光源）１２００からの出射光のうち赤色成分ｒを第一パネル２０１に供給し、緑色成分ｇを第二パネル２０２に供給し、青色成分ｂを第三パネル２０３に供給する。各電気光学装置２０は、照明光学系１１００から供給される各色光を表示画像に応じて変調する光変調器（ライトバルブ）として機能する。投射光学系１３００は、各電気光学装置２０からの出射光を合成して投射面１４００に投射する。
【００２３】
「電子機器の回路構成」
図２は、電子機器の回路構成図である。次に、図２を参照して電子機器の回路構成を説明する。
【００２４】
本実施形態に係わる電子機器は、観察者に立体感を知覚させる立体視画像をフレームシーケンシャル方式で表示する事ができる。図２に示す様に、電子機器は立体視用眼鏡１０と電気光学装置２０と駆動装置５０とを少なくとも具備する。電子機器は、この他に立体視用眼鏡１０を制御する眼鏡制御回路３１を含んでいる。
【００２５】
立体視用眼鏡１０は、電気光学装置２０が表示する立体視画像の視認時に観察者が装着する眼鏡型の器具であり、観察者の右眼の前方に位置する右眼用シャッター１２と左眼の前方に位置する左眼用シャッター１４とを含んで構成される。右眼用シャッター１２及び左眼用シャッター１４の各々は、照射光を透過させる開状態と照射光を遮断する閉状態とに制御される。例えば印加電圧に応じた液晶の配向方向に応じて開状態及び閉状態の一方から他方に変化する液晶シャッターが右眼用シャッター１２及び左眼用シャッター１４として採用され得る。
【００２６】
電気光学装置２０は、複数の画素４８が配列された表示領域４２を備えている。表示領域４２には、相交差する走査線４６２と信号線４６４とが形成される。走査線４６２は行方向に延在しており、信号線４６４は列方向に延在している。尚、走査線４６２の内でｉ行目の走査線４６２を特定する際には、走査線Ｇｉと表記する。各画素４８は、走査線４６２と信号線４６４との各交差に対応して行列状に配列される。電気光学装置２０では、ｍ本の走査線４６２とｎ本の信号線４６４とを含む表示領域４２（ｍは３以上の整数、ｎは１以上の整数）が形成されている。
【００２７】
電気光学装置２０は駆動装置５０によって駆動される。駆動装置５０は、各画素４８を駆動する駆動回路４４と、駆動回路４４に制御信号を供給する表示制御回路３２と、フレーム画像を一時的に記憶する記憶回路３３と、を含んで構成される。後述する様に、１フレームを構成する１枚のフレーム画像は第一フィールド画像と第二フィールド画像とを含んでいるので、記憶回路３３に記憶されたフレーム画像から、表示制御回路３２は第一フィールド画像や第二フィールド画像となる制御信号を作製し、これを駆動回路４４に供給する。駆動回路４４は走査線駆動回路４４１と信号線駆動回路４４３とを含んで構成される。走査線駆動回路４４１は画素を行方向に選択又は非選択する走査信号を各走査線４６２に出力し、走査線４６２はこの走査信号を画素４８に伝える。言い換えると、走査信号は選択状態と非選択状態とを有しており、走査線４６２は、走査線駆動回路４４１により、走査信号を受けて順次選択され得る。信号線駆動回路４４３は、走査線４６２の選択に同期してｎ本の信号線４６４の各々に画像信号Ｖｉｊを供給するここで、ｉは１からｍ迄の整数で、ｊは１からｎまでの整数である。ｉ行ｊ列に位置する画素４８には画像信号Ｖｉｊが供給される。
【００２８】
この様に電気光学装置２０は、第１の走査線４６２と、第１の走査線４６２に接続する第１の画素４８と、第１の走査線４６２に隣り合う第２の走査線４６２と、第２の走査線４６２に接続する第２の画素４８と、第２の走査線４６２に隣り合う第３の走査線４６２と、第３の走査線４６２に接続する第３の画素４８と、第３の走査線４６２に隣り合う第４の走査線４６２と、第４の走査線４６２に接続する第４の画素４８と、第４の走査線４６２に隣り合う第５の走査線４６２と、第５の走査線４６２に接続する第５の画素４８と、第１の画素４８と第２の画素４８と第３の画素４８と第４の画素４８と第５の画素４８とに画像信号を供給する信号線と、を備えている。例えば、第１の走査線４６２が５行目の走査線Ｇ５であれば、第２の走査線４６２は６行目の走査線Ｇ６となり、第３の走査線４６２は７行目の走査線Ｇ７となり、第４の走査線４６２は８行目の走査線Ｇ８となり、第５の走査線４６２は９行目の走査線Ｇ９となる。この例の場合、第１の画素４８は５行ｊ列（ｊは１からｎまでの整数）に位置するｎ個の画素４８となり、第２の画素４８は６行ｊ列に位置するｎ個の画素４８となり、第３の画素４８は７行ｊ列に位置するｎ個の画素４８となり、第４の画素４８は８行ｊ列に位置するｎ個の画素４８となり、第５の画素４８は９行ｊ列に位置するｎ個の画素４８となる。第１の走査線４６２には、１行目の走査線Ｇ１からｍ−４行目の走査線Ｇｍ−４までの内から、任意の１本の走査線４６２を定める事ができる。
【００２９】
尚、本実施形態では電気光学装置２０は不図示のガラス基板を用いて形成され、駆動回路４４はこのガラス基板に薄膜トランジスター等の薄膜素子を用いて形成されている。又、眼鏡制御回路３１と表示制御回路３２と記憶回路３３とが、制御装置３０となっている。この構成以外にも、電気光学装置２０がガラス基板を用いて形成され、駆動回路４４は単結晶半導体基板に形成される集積回路としても良いし、電気光学装置２０も駆動回路４４も単結晶半導体基板に形成される構成としても良い。又、眼鏡制御回路３１と表示制御回路３２と記憶回路３３とを単体の集積回路に搭載した構成や、或いは、これらの回路の二つを単体の集積回路に搭載した構成や、表示制御回路３２と眼鏡制御回路３１と記憶回路３３とを別体の集積回路に分散した構成が採用され得る。
【００３０】
「画素の構成」
図３は、各画素の回路図である。次に、図３を参照して画素４８の構成を説明する。
【００３１】
本実施形態の電気光学装置２０は液晶装置であり、電気光学材料は液晶４８５となる。図３に示す様に、各画素４８は、液晶素子ＣＬと選択スイッチ４８７とを含んで構成される。液晶素子ＣＬは、相対向する画素電極４８１と共通電極４８３とを有し、これら両電極間に電気光学材料の液晶４８５が配置された電気光学素子である。画素電極４８１と共通電極４８３との間に印加される電界に応じて液晶４８５を通過する光の透過率が変化する。
【００３２】
選択スイッチ４８７は、走査線４６２にゲートが接続されたＮチャネル型の薄膜トランジスターで構成され、液晶素子ＣＬと信号線４６４との間に介在して両者の電気的な接続（導通／非導通）を制御する。従って、画素４８（液晶素子ＣＬ）は、選択スイッチ４８７がオン状態に制御されたときの信号線４６４の電位（画像信号Ｖｉｊ）に応じた階調を表示する。尚、液晶素子ＣＬに対して並列に接続される補助容量等の図示は省略されている。
【００３３】
「走査線駆動回路」
図４は、走査線駆動回路の回路構成図である。次に、図４を参照して走査線駆動回路４４１の構成を説明する。
【００３４】
走査線駆動回路４４１は、ｍ本の走査線４６２から１本の走査線４６２を１本毎に選択する順次走査を実行すると共に、ｍ本の走査線４６２から隣り合う２本の走査線４６２の組みをラインペアとしてラインペア毎に選択するラインペア走査を実行でき、又、ｍ本の走査線４６２から隣り合う２本の走査線４６２で、ラインペアとは組み合わされる走査線４６２が一本ずれて異なる走査線４６２の組みをずらしラインペアとして、ずらしラインペア毎に選択するずらしラインペア走査を実行でき、更に、ｍ本の走査線４６２から１本の走査線４６２が一本おきに選択される飛び越し走査をも、実行する回路を含んでいる。尚、ラインペア走査を用いて形成された画像をラインペア画像と称し、ずらしラインペア走査を用いて形成された画像をずらしラインペア画像と称し、飛び越し走査を用いて形成された画像を飛び越し画像と称する。
【００３５】
順次走査とは、走査線４６２を１本ずつ順に選択する走査方法で、例えば、Ｇ１、Ｇ２、Ｇ３、と一本ずつ順番に選択して行く。ラインペア走査とは、例えば、Ｇ１とＧ２とのラインペア、Ｇ３とＧ４とのラインペア、Ｇ５とＧ６とのラインペア、と２ｓ−１行の走査線４６２と２ｓ行の走査線４６２とをペアにして順次選択して行く（ｓは１からｍ／２迄の整数）。ずらしラインペア走査とは、例えば、Ｇ２とＧ３とのラインペア、Ｇ４とＧ５とのラインペア、Ｇ６とＧ７とのラインペア、と２ｔ行の走査線４６２と２ｔ＋１行の走査線４６２とをペアにして順次選択して行く（ｔは１からｍ／２−１迄の整数）。飛び越し走査とは、走査線４６２を１本おきに飛び越して、順に選択する走査方法で、例えば、Ｇ１、Ｇ３、Ｇ５、と２ｓ−１行の走査線４６２を選択して行く。尚、ある特定の走査線４６２が選択されるとは、その走査線４６２に選択状態の走査信号が供給されている事を意味する。又、ある特定の走査線４６２が非選択とされる（ある特定の走査線４６２が選択されない）とは、その走査線４６２に非選択状態の走査信号が供給されている事を意味する。本実施形態では、選択スイッチ４８７にＮ型薄膜トランジスターが用いられているので、選択状態の走査信号は高電位（例えば正電源電位Ｖｄｄ）であり、非選択状態の走査信号は低電位（例えば負電源電位Ｖｓｓ）である。
【００３６】
制御装置３０から駆動回路４４に供給される制御信号は、走査線駆動回路４４１に供給されるスタートパルス信号ＤＹと、走査線駆動回路４４１に供給されるクロック信号ＣＬＹと、走査線駆動回路４４１に供給されるイネイブル信号と、を含んでいる。イネイブル信号には、イネイブル１信号ＥＮＢＹ１と、イネイブル２信号ＥＮＢＹ２と、イネイブル３信号ＥＮＢＹ３と、イネイブル４信号ＥＮＢＹ４と、の４種類がある。
【００３７】
図４は、上述の様々な走査方法を可能とする回路構成の一例を示している。走査線駆動回路４４１は、信号生成回路１００と、走査線４６２の本数に相当するｍ個の第二ＡＮＤ回路１３０とを具備する。信号生成回路１００は、ｍ段のシフトレジスター１１０とｍ個の第一ＡＮＤ回路１２０とを具備する。シフトレジスター１１０には表示制御回路３２からスタートパルス信号ＤＹやクロック信号ＣＬＹ等が供給される。
【００３８】
シフトレジスター１１０は、クロック信号ＣＬＹに同期してスタートパルス信号ＤＹを順次に転送する事で転送パルスＱ１、Ｑ２、・・・、Ｑｍを出力する。第ｉ番目（ｉ＝１〜ｍ）の第一ＡＮＤ回路１２０は、前段の転送パルスＱｉ−１（第１番目の第一ＡＮＤ回路１２０においてはスタートパルス信号ＤＹ）と自段の転送パルスＱｉとの論理積を制御パルスＲｉとして出力する。即ち、信号生成回路１００は、供給されたスタートパルス信号ＤＹとクロック信号ＣＬＹとに基づいて、ｍ系統の制御パルスＲ１、Ｒ２、・・・、Ｒｍを順次に出力する。第ｉ番目の第二ＡＮＤ回路１３０は、信号生成回路１００から出力された制御パルスＲｉと、表示制御回路３２から供給されるイネイブルｐ信号ＥＮＢＹｐ（ｐは１から４の整数の内のいずれか一つ）との論理積を、走査信号として第ｉ行の走査線Ｇｉに出力する。相隣接する４個を単位としてｍ個の第二ＡＮＤ回路１３０を複数（ｍ／４個）の集合に区分した場合、各集合における第ｐ番目（ｐ＝１〜４）の第二ＡＮＤ回路１３０にイネイブルｐ信号ＥＮＢＹｐが供給される。こうした回路構成を為す事で、順次走査やラインペア走査、ずらしラインペア走査、飛び越し走査などを行う事ができる。
【００３９】
「第一フィールド画像と第二フィールド画像」
図５は、本実施形態にてラインペア画像を形成する際に、電気光学装置に供給される各種の信号と表示画像とを説明する図である。又、図６は、本実施形態にてずらしラインペア画像を形成する際に、電気光学装置に供給される各種の信号と表示画像とを説明する図である。次に、図５と６とを参照して、ラインペア走査を用いて第一フィールド画像を形成する方法と、ずらしラインペア走査を用いて第二フィールド画像を形成する方法とを説明する。尚、第一フィールド画像をずらしラインペア走査を用いて形成し、第二フィールド画像をラインペア走査を用いて形成しても良く、その場合は以下の説明で、第一フィールド画像を第二フィールド画像と読み直し、第二フィールド画像を第一フィールド画像と読み直せば良い。
【００４０】
図５（ａ）は、ラインペア走査を用いてラインペア画像を形成する際のタイミングチャートであり、図５（ｂ）はその際に走査線４６２に接続する画素４８に供給される信号の種類を説明している。
【００４１】
図５（ｂ）は、ラインペア走査を用いて電気光学装置２０に奇数画像を表示する際に、各行毎に信号線４６４に供給される画像信号を表している。ここでは、第一フィールド画像は奇数画像となる。奇数画像とは、元になる１フレームの画像（フレーム画像と称する、本実施形態では、縦１０８０画素×横１９２０画素のフルハイビジョン画像）の内から、奇数行の画像信号を用いて形成された画像である。言い換えると、フレーム画像から奇数行で表示されている画像を選び出した画像が、奇数画像である。本実施形態では、１フレーム画像の縦方向に１０８０画素あるので、フレーム画像の１行目の画像信号Ｖ１ｊや、フレーム画像の３行目の画像信号Ｖ３ｊや、フレーム画像の５行目の画像信号Ｖ５ｊ等、５４０行分の奇数行目の画像信号を用いて、奇数画像を形成する。その際に、図５（ｂ）に示す様に、同じ画像信号を隣り合う２本の走査線４６２に接続する画素４８に供給して行く。例えば、５行目の走査線Ｇ５と６行目の走査線Ｇ６とに接続する画素４８にフレーム画像の１行目の画像信号Ｖ１ｊを供給し、７行目の走査線Ｇ７と８行目の走査線Ｇ８とに接続する画素４８にフレーム画像の３行目の画像信号Ｖ３ｊを供給し、以下同様にして、１０８３行目の走査線Ｇ１０８３と１０８４行目の走査線Ｇ１０８４とに接続する画素４８にフレーム画像の１０７９行目の画像信号Ｖ１０７９ｊを供給する。尚、電気光学装置２０の表示領域４２は画像領域と調整領域とを含んでいる。画像領域は実際に画像が表示される領域で、この画像領域の上下に走査線４本分の調整領域が設けられている。画像領域の画素４８には画像信号が供給され、調整領域の画素４８には黒信号Ｂｌａｃｋが供給される。図５（ｂ）では、調整領域は、１行目の走査線Ｇ１から４行目の走査線Ｇ４までの走査線４６２に接続する画素４８と、ｍ−３行目の走査線Ｇｍ−３からｍ行目の走査線Ｇｍまでの走査線４６２に接続する画素４８と、が為す領域であり、画像領域は、５行目の走査線Ｇ５からｍ−４行目の走査線Ｇｍ−４までの走査線４６２に接続する画素４８が為す領域である。
【００４２】
上述の第一フィールド画像（ここでは、ラインペア画像）を表示する為の各種の信号を説明するタイミングチャートが図５（ａ）である。電気光学装置２０でラインペア走査を行うと、第一フィールド画像を表示でき、駆動装置５０はこれらを可能にする各種の信号を作り出す事ができる。図５（ａ）に示す様に、ｍ系統の制御パルスＲ１、Ｒ２、・・・、Ｒｍのうち相隣接する２系統は相互に重複する区間を有する。そして、相隣接する２系統の制御パルスＲが重複する期間内において、それらの制御パルスＲに対応する第二ＡＮＤ回路１３０の各々に供給されるイネイブル信号が同時にアクティブレベルに設定される。例えば、制御パルスＲ１と制御パルスＲ２とが重複する期間においては、イネイブル１信号ＥＮＢＹ１及びイネイブル２信号ＥＮＢＹ２が同時にアクティブレベルに設定され、制御パルスＲ３と制御パルスＲ４とが重複する期間においては、イネイブル３信号ＥＮＢＹ３及びイネイブル４信号ＥＮＢＹ４が同時にアクティブレベルに設定される。こうして、相隣接する２本の走査線４６２に供給される走査信号が同時にアクティブレベルに設定され、ラインペア走査が実現する。
【００４３】
走査線駆動回路４４１に供給されるクロック信号ＣＬＹは低電位（例えば負電源電位Ｖｓｓ）と高電位（例えば正電源電位Ｖｄｄ）とが周期的に繰り返される交番電位であり、こうした矩形波のクロック信号ＣＬＹを用いて走査線駆動回路４４１は走査信号を生成している。図５（ａ）に示される様に、ラインペア走査にて画像が形成されると、第一フィールド画像を形成する走査信号では、選択状態の期間中にクロック信号ＣＬＹが高電位から低電位へと切り替わっている。具体的には、第一フィールド画像は、第一選択期間（例えば５行目の走査線Ｇ５と６行目の走査線Ｇ６とが同時に選択されている期間）で、第１の走査線４６２（本実施形態の例では、５行目の走査線Ｇ５）と第２の走査線４６２（本実施形態の例では、６行目の走査線Ｇ６）とを選択状態として、第１の画素４８（本実施形態の例では、５行目の走査線Ｇ５に接続する画素４８）と第２の画素４８（本実施形態の例では、６行目の走査線Ｇ６に接続する画素４８）とに、第１の画素４８に対応する第１の画像信号（本実施形態の例では、フレーム画像の１行目の画像信号Ｖ１ｊ）を供給し、第一選択期間に続く第二選択期間（本実施形態の例では、７行目の走査線Ｇ７と８行目の走査線Ｇ８とが同時に選択されている期間）で、第３の走査線４６２（本実施形態の例では、７行目の走査線Ｇ７）と第４の走査線４６２（本実施形態の例では、８行目の走査線Ｇ８）とを選択状態として、第３の画素４８（本実施形態の例では、７行目の走査線Ｇ７に接続する画素４８）と第４の画素４８（本実施形態の例では、８行目の走査線Ｇ８に接続する画素４８）とに、第３の画素４８に対応する第３の画像信号（本実施形態の例では、フレーム画像の３行目の画像信号Ｖ３ｊ）を供給する事で形成され、第一選択期間と第二選択期間とではクロック信号が高電位から低電位へと切り替わっている。
【００４４】
図６（ａ）は、ずらしラインペア走査を用いてずらしラインペア画像を形成する際のタイミングチャートであり、図６（ｂ）はその際に走査線４６２に接続する画素４８に供給される信号の種類を説明している。
【００４５】
図６（ｂ）は、ずらしラインペア走査を用いて電気光学装置２０に偶数画像を表示する際に、各行毎に信号線４６４に供給される画像信号を表している。第二フィールド画像は、第一フィールド画像が奇数画像の際には偶数画像であり、第一フィールド画像が偶数画像の際には奇数画像であるので、ここでは、第二フィールド画像は偶数画像となる。偶数画像とは、元になる１フレーム画像（本実施形態では、縦１０８０画素×横１９２０画素のフルハイビジョン画像）の内から、偶数行の画像信号を用いて形成された画像である。言い換えると、フレーム画像から偶数行で表示されている画像を選び出した画像が、偶数画像である。本実施形態では、フレーム画像の２行目の画像信号Ｖ２ｊや、フレーム画像の４行目の画像信号Ｖ４ｊや、フレーム画像の６行目の画像信号Ｖ６ｊ等、５４０行分の偶数行目の画像信号を用いて、偶数画像を形成する。その際に、図６（ｂ）に示す様に、隣り合う２本の走査線４６２で、先のラインペア走査の際とは組み合わせとなる走査線４６２が１行ずれた走査線４６２に接続する画素４８に、同じ画像信号を供給して行く。例えば、６行目の走査線Ｇ６と７行目の走査線Ｇ７とに接続する画素４８にフレーム画像の２行目の画像信号Ｖ２ｊを供給し、８行目の走査線Ｇ８と９行目の走査線Ｇ９とに接続する画素４８にフレーム画像の４行目の画像信号Ｖ４ｊを供給し、以下同様にして、１０８４行目の走査線Ｇ１０８４と１０８５行目の走査線Ｇ１０８５とに接続する画素４８にフレーム画像の１０８０行目の画像信号Ｖ１０８０ｊを供給する。尚、図６（ｂ）では、調整領域は、１行目の走査線Ｇ１から５行目の走査線Ｇ５までの走査線４６２に接続する画素４８と、ｍ−２行目の走査線Ｇｍ−２からｍ行目の走査線Ｇｍまでの走査線４６２に接続する画素４８と、が為す領域であり、画像領域は、６行目の走査線Ｇ６からｍ−３行目の走査線Ｇｍ−３までの走査線４６２に接続する画素４８が為す領域である。先と同様に、調整領域の画素４８には黒信号Ｂｌａｃｋが供給される。この様に、第二フィールド画像（本実施形態では偶数画像）が第一フィールド画像（本実施形態では奇数画像）に対して走査線１行分だけ下にずれているので、時分割で高精細なフレーム画像を正確に表示する事が可能になる。即ち、第一フィールド画像と第二フィールド画像とで、走査線４６２が二本ずつ選択された結果、高精細な画像を短時間に表示する事が可能となっている。
【００４６】
上述の第二フィールド画像（ここでは、ずらしラインペア画像）を表示する為の各種信号を説明するタイミングチャートが図６（ａ）である。電気光学装置２０でずらしラインペア走査を行うと、第二フィールド画像を表示でき、駆動装置５０はこれらを可能にする各種の信号を作り出す事ができる。
【００４７】
制御装置３０は、ラインペア走査時のスタートパルス信号（図５（ａ）のＤＹ）とずらしラインペア走査時のスタートパルス信号（図６（ａ）のＤＹ）とを、ラインペア走査やずらしラインペア走査の水平走査期間の半分の整数倍だけ時間的にずらす事ができる。図５（ａ）の走査線Ｇ１から走査線Ｇｍに供給される信号を見れば分かる様に、ラインペア走査の水平走査期間はクロック信号ＣＬＹの一周期である。従って、水平走査期間の半分とはクロック信号ＣＬＹの半周期であり、制御装置３０はラインペア走査時のスタートパルス信号に対して、ずらしラインペア走査時のスタートパルス信号をクロック信号ＣＬＹの半周期の整数倍だけ前後にずらす事ができる。実際に、ずらしラインペア走査時のスタートパルス信号（図６（ａ）のＤＹ）は、ラインペア走査時のスタートパルス信号（図５（ａ）のＤＹ）に対してクロック信号ＣＬＹの半周期の１倍遅れている。
【００４８】
更に、制御装置３０は、ラインペア走査時のクロック信号（図５（ａ）のＣＬＹ）とずらしラインペア走査時のクロック信号（図６（ａ）のＣＬＹ）とを同一の周期とし、位相を異ならせる事ができる。実際に、ずらしラインペア走査時のクロック信号（図６（ａ）のＣＬＹ）は、ラインペア走査時のクロック信号（図５（ａ）のＣＬＹ）に対して、同一の周期で、位相が１８０°ずれている。この結果、ラインペア走査時のクロック信号（図５（ａ）のＣＬＹ）が高電位にある時に、ずらしラインペア走査時のクロック信号（図６（ａ）のＣＬＹ）は低電位にあり、ラインペア走査時のクロック信号（図５（ａ）のＣＬＹ）が低電位にある時に、ずらしラインペア走査時のクロック信号（図６（ａ）のＣＬＹ）は高電位にある。
【００４９】
更に、制御装置３０は、ラインペア走査時のイネイブル信号（図５（ａ）のＥＮＢＹ１やＥＮＢＹ２、ＥＮＢＹ３、ＥＮＢＹ４）とずらしラインペア走査時のイネイブル信号（図６（ａ）のＥＮＢＹ１やＥＮＢＹ２、ＥＮＢＹ３、ＥＮＢＹ４）とを異ならせる事ができる。具体的には、制御装置３０は、順次走査やラインペア走査、ずらしラインペア走査等の走査方法に応じて、イネイブル信号のアクティブになるタイミングを変える事ができる。制御装置３０は、イネイブル１信号ＥＮＢＹ１とイネイブル２信号ＥＮＢＹ２とイネイブル３信号ＥＮＢＹ３とイネイブル４信号ＥＮＢＹ４とで、高電位状態を任意に設定できる。実際に、ラインペア走査時のイネイブル信号（図５（ａ）のＥＮＢＹ１やＥＮＢＹ２、ＥＮＢＹ３、ＥＮＢＹ４）では、イネイブル１信号ＥＮＢＹ１とイネイブル２信号ＥＮＢＹ２とがペアとなり、イネイブル３信号ＥＮＢＹ３とイネイブル４信号ＥＮＢＹ４とがペアとなり、それぞれのペアで同じ信号で有ったが、ずらしラインペア走査時のイネイブル信号（図６（ａ）のＥＮＢＹ１やＥＮＢＹ２、ＥＮＢＹ３、ＥＮＢＹ４）では、イネイブル１信号ＥＮＢＹ１とイネイブル４信号ＥＮＢＹ４とがペアとなり、イネイブル２信号ＥＮＢＹ２とイネイブル３信号ＥＮＢＹ３とがペアとなっている。
【００５０】
こうした制御信号の結果、ラインペア走査とずらしラインペア走査とでは、ペアとなる走査線４６２が一行ずれる。これに加えて、図６（ｂ）に示す画像信号を行に応じて供給する事で第二フィールド画像が形成される。図６（ａ）に示される様に、ずらしラインペア走査にて画像が形成されると、第二フィールド画像を形成する走査信号では、選択状態の期間中にクロック信号ＣＬＹが低電位から高電位へと切り替わっている。具体的には、第二フィールド画像は、第三選択期間（本実施形態の例では、６行目の走査線Ｇ６と７行目の走査線Ｇ７とが同時に選択されている期間）で、第２の走査線４６２（本実施形態の例では、６行目の走査線Ｇ６）と第３の走査線４６２（本実施形態の例では、７行目の走査線Ｇ７）とを選択状態として、第２の画素４８（本実施形態の例では、６行目の走査線Ｇ６に接続する画素４８）と第３の画素４８（本実施形態の例では、７行目の走査線Ｇ７に接続する画素４８）とに、第２の画素４８に対応する第２の画像信号（本実施形態の例では、フレーム画像の２行目の画像信号Ｖ２ｊ）を供給し、第三選択期間に続く第四選択期間（本実施形態の例では、８行目の走査線Ｇ８と９行目の走査線Ｇ９とが同時に選択されている期間）で、第４の走査線４６２（本実施形態の例では、８行目の走査線Ｇ８）と第５の走査線４６２（本実施形態の例では、９行目の走査線Ｇ９）とを選択状態として、第４の画素４８（本実施形態の例では、８行目の走査線Ｇ８に接続する画素４８）と第５の画素４８（本実施形態の例では、９行目の走査線Ｇ９に接続する画素４８）とに、第４の画素４８に対応する画像信号（本実施形態の例では、フレーム画像の４行目の画像信号Ｖ４ｊ）を供給する事で形成され、第三選択期間と第四選択期間とではクロック信号ＣＬＹが低電位から高電位へと切り替わっている。
【００５１】
本願発明者が鋭意研究した結果、特許文献１に記載されている様な従来の表示方法では、第一の画像を表示する際にも、第二の画像を表示する際にも、クロック信号の切り替わり方向が同じであり、これが表示品位を落とす原因である事が判明した。一般にクロック信号が切り替わる際には、回路規模に応じて大きな充放電電流が瞬間的に発生し、正電源電位や負電源電位が変動する恐れがある。こうした事態が発生すると、画素に供給する画像信号の電位がその瞬間に変動し、その結果、正しい表示がなされなくなる。従来の表示方法では、第一の画像でも第二の画像でも走査信号の選択期間の中央でクロック信号が高電位から低電位に切り替わっており、この為に表示領域の横方向の中央付近で輝度が変化する縦帯が発生していた。
【００５２】
これに対して、本実施形態では、上述の如く、第一フィールド画像と第二フィールド画像とでクロック信号ＣＬＹの切り替わり方向が反対なので、クロック信号ＣＬＹ切り替えの影響を第一フィールド画像と第二フィールド画像とで相殺する事ができる。第一フィールド画像でも第二フィールド画像でも表示領域の横方向の中央付近で輝度が変化する恐れはあるが、たとえ輝度変化が発生したとしても、クロック信号ＣＬＹの切り替わり方向が反対なので、第一フィールド画像での輝度変化と第二フィールド画像での輝度変化とが反対になり、お互いの影響を相殺し合うのである。こうして、本実施形態に記載の駆動方法を採用すると、表示領域の横方向の中央付近で輝度が変化する縦帯の発生が抑制され、画像品位が向上するのである。即ち、高精細画像の高速表示と高品位の映像とを両立させる事が可能となる。
【００５３】
尚、図５（ａ）や図６（ａ）に示される様に、制御信号は複数の出力パターンを有している。制御装置３０は、表示すべき画像が第一フィールド画像か第二フィールド画像かに応じて、複数の出力パターンから最適な出力パターンとなる制御信号を駆動回路４４に供給する。
【００５４】
「表示方法」
図７は、フレーム画像とこのフレーム画像を用いて電子機器にて三次元画像を表示する方法を説明する図である。次に、図７を参照して、高精細なフレーム画像の表示方法と、これを応用した三次元画像の表示方法と、を説明する。
【００５５】
図７に示す様に、三次元画像を表示するには、左眼用のフレーム画像ＧＬと右眼用のフレーム画像ＧＲとを交互に表示するが、まず、フレーム画像に関して説明する。１フレームを構成する画像（１枚のフレーム画像）は、第一フィールド画像と第二フィールド画像とを含んで構成される。本実施形態では、４枚のフレーム画像（第一フレーム画像ＦＰ１と第二フレーム画像ＦＰ２と第三フレーム画像ＦＰ３と第四フレーム画像ＦＰ４と）で、１周期をなしている。いずれのフレーム画像でも第一フィールド画像１−ｆｉｅｌｄに引き続いて、第二フィールド画像２−ｆｉｅｌｄが形成されている。図７では、走査方法の欄にラインペア走査をＬＰと記し、ずらしラインペア走査をＳＬＰと記している。
【００５６】
第一フィールド画像１−ｆｉｅｌｄと第二フィールド画像２−ｆｉｅｌｄとは、液晶４８５に印加される電界が正極性の画像と負極性の画像とからなる。液晶４８５に印加される電界が正極性とは、画素電極４８１に画像信号が供給された際に、画素電極４８１の電位が共通電極４８３の電位以上とされた状態をさす。反対に、液晶４８５に印加される電界が負極性とは、画素電極４８１に画像信号が供給された際に、画素電極４８１の電位が共通電極４８３の電位以下とされた状態である。図７では、表示画像や走査方法の欄に正極性の場合には＋の符号を付け、負極性の場合には−の符号を付けてある。図７に示す様に、第一フィールド画像１−ｆｉｅｌｄが正極性にて表示されれば第二フィールド画像２−ｆｉｅｌｄは負極性にて表示される。勿論、これとは反対に、第一フィールド画像１−ｆｉｅｌｄが負極性にて表示された際に第二フィールド画像２−ｆｉｅｌｄを正極性にて表示しても良い。
【００５７】
図７では、第一フレーム画像ＦＰ１は、ラインペア走査ＬＰ＋によって左眼用の正極性奇数画像ＧＬＯ＋が第一フィールド画像１−ｆｉｅｌｄとして表示され、ずらしラインペア走査ＳＬＰ−によって左眼用の負極性偶数画像ＧＬＥ−が第二フィールド画像２−ｆｉｅｌｄとして表示される。第二フィールド画像２−ｆｉｅｌｄが形成される期間に左眼用シャッターが開く。第一フィールド画像１−ｆｉｅｌｄが形成される期間にクロック信号ＣＬＹは高電位から低電位に切り替わり（立ち下がると称し、図７には下向き矢印で示す）、第二フィールド画像２−ｆｉｅｌｄが形成される期間にクロック信号ＣＬＹは低電位から高電位に切り替わり（立ち上がると称し、図７には上向き矢印で示す）、クロック信号ＣＬＹの影響はフレーム画像内で相殺されている。
【００５８】
第二フレーム画像ＦＰ２は、ずらしラインペア走査ＳＬＰ＋によって右眼用の正極性偶数画像ＧＲＥ＋が第一フィールド画像１−ｆｉｅｌｄとして表示され、ラインペア走査ＬＰ−によって右眼用の負極性奇数画像ＧＲＯ−が第二フィールド画像２−ｆｉｅｌｄとして表示される。第二フィールド画像２−ｆｉｅｌｄが形成される期間に右眼用シャッターが開く。第一フィールド画像１−ｆｉｅｌｄが形成される期間にクロック信号ＣＬＹは立ち上がり、第二フィールド画像２−ｆｉｅｌｄが形成される期間にクロック信号ＣＬＹは立ち下がり、クロック信号ＣＬＹの影響はフレーム画像内で相殺されている。この様に、第二フレーム画像ＦＰ２では、第一フィールド画像１−ｆｉｅｌｄを形成する走査信号では、選択状態の期間中にクロック信号ＣＬＹが低電位から高電位へと切り替わり、第二フィールド画像２−ｆｉｅｌｄを形成する走査信号では、選択状態の期間中にクロック信号ＣＬＹが高電位から低電位へと切り替わっている。要するに、第一選択期間と第二選択期間とではクロック信号ＣＬＹが低電位から高電位へと切り替わり、第三選択期間と第四選択期間とではクロック信号ＣＬＹが高電位から低電位へと切り替わっている。
【００５９】
第三フレーム画像ＦＰ３は、ずらしラインペア走査ＳＬＰ＋によって左眼用の正極性偶数画像ＧＬＥ＋が第一フィールド画像１−ｆｉｅｌｄとして表示され、ラインペア走査ＬＰ−によって左眼用の負極性奇数画像ＧＬＯ−が第二フィールド画像２−ｆｉｅｌｄとして表示される。第二フィールド画像２−ｆｉｅｌｄが形成される期間に左眼用シャッターが開く。第一フィールド画像１−ｆｉｅｌｄが形成される期間にクロック信号ＣＬＹは立ち上がり、第二フィールド画像２−ｆｉｅｌｄが形成される期間にクロック信号ＣＬＹは立ち下がり、クロック信号ＣＬＹの影響はフレーム画像内で相殺されている。第三フレーム画像ＦＰ３でも、第一フィールド画像１−ｆｉｅｌｄを形成する走査信号では、選択状態の期間中にクロック信号ＣＬＹが低電位から高電位へと切り替わり、第二フィールド画像２−ｆｉｅｌｄを形成する走査信号では、選択状態の期間中にクロック信号ＣＬＹが高電位から低電位へと切り替わっている。要するに、第一選択期間と第二選択期間とではクロック信号ＣＬＹが低電位から高電位へと切り替わり、第三選択期間と第四選択期間とではクロック信号ＣＬＹが高電位から低電位へと切り替わっている。
【００６０】
第四フレーム画像ＦＰ４は、ラインペア走査ＬＰ＋によって右眼用の正極性奇数画像ＧＲＯ＋が第一フィールド画像１−ｆｉｅｌｄとして表示され、ずらしラインペア走査ＳＬＰ−によって右眼用の負極性偶数画像ＧＲＥ−が第二フィールド画像２−ｆｉｅｌｄとして表示される。第二フィールド画像２−ｆｉｅｌｄが形成される期間に右眼用シャッターが開く。第一フィールド画像１−ｆｉｅｌｄが形成される期間にクロック信号ＣＬＹは立ち下がり、第二フィールド画像２−ｆｉｅｌｄが形成される期間にクロック信号ＣＬＹは立ち上がり、クロック信号ＣＬＹの影響はフレーム画像内で相殺されている。
【００６１】
図７に示す様な、４枚のフレーム画像で１周期をなす駆動方法を採用すると、極性バランスが取れて、画像の焼き付きを抑制する事ができる。又、正極性と負極性とを交互に繰り返す事でフリッカー（表示画像のちらつき）を低減する事ができる。
【００６２】
「他の電子機器」
電気光学装置２０は上述の駆動方法で駆動されるが、この電気光学装置２０を組み込んだ電子機器としては、図１を参照して説明したプロジェクターの他にも、リアプロジェクション型テレビ、直視型テレビ、携帯電話、携帯用オーディオ機器、パーソナルコンピューター、ビデオカメラのモニター、カーナビゲーション装置、ページャー、電子手帳、電卓、ワードプロセッサー、ワークステーション、テレビ電話、ＰＯＳ端末、ディジタルスチルカメラなどを挙げる事ができる。
【００６３】
（実施形態２）
「飛び越し走査を用いた形態」
図８は、本実施形態にて飛び越し画像を形成する際に、電気光学装置に供給される各種の信号と表示画像とを説明する図である。次に、図６と図８とを参照して、ずらしラインペア走査を用いて第一フィールド画像を形成し、飛び越し走査を用いて第二フィールド画像を形成する方法を説明する。尚、実施形態１と同一の構成部位については、同一の符号を附し、重複する説明は省略する。
【００６４】
本実施形態は実施形態１と比べて、ラインペア走査に代わり、飛び越し走査を用いている点が異なっている。それ以外の構成は、実施形態１とほぼ同様である。実施形態１（図５、図６）では、第一フィールド画像と第二フィールド画像とにラインペア画像とずらしラインペア画像とを用いていた。これに対し、本実施形態（図６と図８）では、第一フィールド画像はずらしラインペア走査を用いて形成され、第二フィールド画像は飛び越し走査を用いて形成される。
【００６５】
ずらしラインペア走査を用いて形成される第一フィールド画像は実施形態１（図６）と同様である。即ち、第一フィールド画像は、選択期間−１で、第２の走査線４６２と第３の走査線４６２とを選択状態として、第２の画素４８と第３の画素４８とに、第２の画素４８に対応する第２の画像信号を供給し、選択期間−１に続く選択期間−２で、第４の走査線４６２と第５の走査線４６２とを選択状態として、第４の画素４８と第５の画素４８とに、第４の画素４８に対応する画像信号を供給する事で形成され、選択期間−１と選択期間−２とではクロック信号ＣＬＹが低電位から高電位へと切り替わる。これに対して、本実施形態では第二フィールド画像の形成方法が異なる。次にこれを説明する。
【００６６】
図８（ａ）は、飛び越し走査を用いて第二フィールド画像を形成する際のタイミングチャートであり、図８（ｂ）はその際に走査線４６２に接続する画素４８に供給される信号の種類を説明している。飛び越し走査とは、図８に示されている様に、フィールド画像形成時に走査線４６２が一行おきに選択され、選択された走査線４６２に接続する画素４８で画像信号が書き換えられる表示方法である。即ち、第二フィールド画像では、表示領域の約半分が新たな画像に書き換えられる。本実施形態では、偶数行目の走査線４６２は選択されず、奇数行目の走査線４６２に接続する画素４８に画像信号が供給されている。
【００６７】
図８（ｂ）は、飛び越し走査を用いて電気光学装置２０に奇数画像を表示する際に、各行毎に信号線４６４に供給される画像信号を表している。図６に示す第一フィールド画像が偶数画像なので、第二フィールド画像は奇数画像となる。その際に、図８（ｂ）に示す様に、走査線４６２の一本おきに、走査線４６２に接続する画素４８に画像信号を供給して行く。例えば、５行目の走査線Ｇ５に接続する画素４８にフレーム画像の１行目の画像信号Ｖ１ｊを供給し、７行目の走査線Ｇ７に接続する画素４８にフレーム画像の３行目の画像信号Ｖ３ｊを供給し、以下同様にして、１０８３行目の走査線Ｇ１０８３に接続する画素４８にフレーム画像の１０７９行目の画像信号Ｖ１０７９ｊを供給する。実施形態１と同様に、画像領域の上下に走査線４本分の調整領域が設けられている。画像領域の画素４８には画像信号が供給され、調整領域の画素４８には黒信号Ｂｌａｃｋが供給される。図８（ｂ）では、調整領域は、１行目の走査線Ｇ１から４行目の走査線Ｇ４までの走査線４６２に接続する画素４８と、ｍ−３行目の走査線Ｇｍ−３からｍ行目の走査線Ｇｍまでの走査線４６２に接続する画素４８と、が為す領域であり、画像領域は、５行目の走査線Ｇ５からｍ−４行目の走査線Ｇｍ−４までの走査線４６２に接続する画素４８が為す領域である。
【００６８】
上述の第二フィールド画像を表示する為の各種の信号を説明するタイミングチャートが図８（ａ）である。電気光学装置２０で飛び越し走査を行うと、第二フィールド画像を表示でき、駆動装置５０はこれらを可能にする各種の信号を作り出す事ができる。図８（ａ）に示す様に、ｍ系統の制御パルスＲ１、Ｒ２、・・・、Ｒｍのうち相隣接する２系統は相互に重複する区間を有する。そして、相隣接する２系統の制御パルスＲが重複する期間内において、それらの制御パルスＲに対応する第二ＡＮＤ回路１３０の各々に供給されるイネイブル信号ＥＮＢＹの一つがアクティブレベルに設定される。例えば、制御パルスＲ１と制御パルスＲ２とが重複する期間においては、イネイブル１信号ＥＮＢＹ１がアクティブレベルに設定され、１行目の走査線Ｇ１が選択される。同様に、制御パルスＲ３と制御パルスＲ４とが重複する期間においては、イネイブル３信号ＥＮＢＹ３がアクティブレベルに設定され、３行目の走査線Ｇ３が選択される。この様に、イネイブル２信号ＥＮＢＹ２とイネイブル４信号ＥＮＢＹ４とは、非アクティブ状態を保ち、イネイブル１信号ＥＮＢＹ１とイネイブル３信号ＥＮＢＹ３とは、クロック信号ＣＬＹの一周期毎に交互にアクティブとなる。こうして走査線４６２に供給される走査信号は一行おきに、順次選択状態とされ、飛び越し走査が実現する。
【００６９】
図８（ａ）に示される様に、飛び越し走査にて画像が形成されると、第二フィールド画像を形成する走査信号では、選択状態の期間中にクロック信号ＣＬＹが高電位から低電位へと切り替わっている。具体的には、飛び越し走査を用いて形成される第二フィールド画像は、選択期間−３（本実施形態の例では、５行目の走査線Ｇ５が選択されている期間）で、第１の走査線４６２（本実施形態の例では、５行目の走査線Ｇ５）を選択状態として、第１の画素４８（本実施形態の例では、５行目の走査線Ｇ５に接続する画素４８）に、第１の画素４８に対応する第１の画像信号（本実施形態の例では、フレーム画像の１行目の画像信号Ｖ１ｊ）を供給し、選択期間−３に続く選択期間−４（本実施形態の例では、７行目の走査線Ｇ７が選択されている期間）で、第３の走査線４６２（本実施形態の例では、７行目の走査線Ｇ７）を選択状態として、第３の画素４８（本実施形態の例では、７行目の走査線Ｇ７に接続する画素４８）に、第３の画素４８に対応する画像信号（本実施形態の例では、フレーム画像の３行目の画像信号Ｖ３ｊ）を供給する事で形成され、選択期間−３と選択期間−４とではクロック信号ＣＬＹが高電位から低電位へと切り替わっている。
【００７０】
本実施形態でも、第一フィールド画像と第二フィールド画像とでクロック信号ＣＬＹの切り替わり方向が反対なので、クロック信号ＣＬＹ切り替えの影響を第一フィールド画像と第二フィールド画像とで相殺する事ができ、実施形態１と同じ効果が得られる。
【００７１】
「表示方法」
図９は、フレーム画像とこのフレーム画像を用いて電子機器にて三次元画像を表示する方法を説明する図である。次に、図９を参照して、高精細なフレーム画像の表示方法と、これを応用した三次元画像の表示方法と、を説明する。
【００７２】
図９に示す様に、三次元画像を表示するには、左眼用のフレーム画像ＧＬと右眼用のフレーム画像ＧＲとを交互に表示するが、まず、フレーム画像に関して説明する。
【００７３】
１フレームを構成する画像（１枚のフレーム画像）は、第一フィールド画像と第二フィールド画像とを含んで構成される。図９では、４枚のフレーム画像（第一フレーム画像ＦＰ１と第二フレーム画像ＦＰ２と第三フレーム画像ＦＰ３と第四フレーム画像ＦＰ４と）を描いてある。各フレーム画像では第一フィールド画像１−ｆｉｅｌｄに引き続いて、第二フィールド画像２−ｆｉｅｌｄが形成されている。尚、図９では、走査方法の欄に飛び越し走査をＳｋｐと記し、ずらしラインペア走査をＳＬＰと記している。
【００７４】
第一フィールド画像１−ｆｉｅｌｄと第二フィールド画像２−ｆｉｅｌｄとは、液晶４８５に印加される電界が正極性の画像と負極性の画像とからなる。図９では、表示画像や走査方法の欄に正極性の場合には＋の符号を付け、負極性の場合には−の符号を付けてある。図９に示す様に、第一フィールド画像１−ｆｉｅｌｄが正極性にて表示されれば第二フィールド画像２−ｆｉｅｌｄは負極性にて表示される。勿論、これとは反対に、第一フィールド画像１−ｆｉｅｌｄが負極性にて表示された際に第二フィールド画像２−ｆｉｅｌｄを正極性にて表示しても良い。
【００７５】
図９に示す様に、第一フレーム画像ＦＰ１は、ずらしラインペア走査ＳＬＰ＋によって左眼用の正極性偶数画像ＧＬＥ＋が第一フィールド画像１−ｆｉｅｌｄとして表示され、飛び越し走査Ｓｋｐ−によって左眼用の負極性奇数画像ＧＬＯ−が第二フィールド画像２−ｆｉｅｌｄとして表示される。第二フィールド画像２−ｆｉｅｌｄが形成される期間に左眼用シャッターが開く。第一フィールド画像１−ｆｉｅｌｄが形成される期間にクロック信号ＣＬＹは立ち上がり、第二フィールド画像２−ｆｉｅｌｄが形成される期間にクロック信号ＣＬＹは立ち下がり、クロック信号ＣＬＹの影響はフレーム画像内で相殺されている。
【００７６】
第二フレーム画像ＦＰ２は、ずらしラインペア走査ＳＬＰ＋によって右眼用の正極性偶数画像ＧＲＥ＋が第一フィールド画像１−ｆｉｅｌｄとして表示され、飛び越し走査Ｓｋｐ−によって右眼用の負極性奇数画像ＧＲＯ−が第二フィールド画像２−ｆｉｅｌｄとして表示される。第二フィールド画像２−ｆｉｅｌｄが形成される期間に右眼用シャッターが開く。第一フィールド画像１−ｆｉｅｌｄが形成される期間にクロック信号ＣＬＹは立ち上がり、第二フィールド画像２−ｆｉｅｌｄが形成される期間にクロック信号ＣＬＹは立ち下がり、クロック信号ＣＬＹの影響はフレーム画像内で相殺されている。
【００７７】
以下、奇数番目のフレーム画像は第一フレーム画像ＦＰ１と同様に形成され、偶数番目のフレーム画像は第二フレーム画像ＦＰ２と同様に形成される。この様に、本実施形態では、第一フィールド画像１−ｆｉｅｌｄを形成する走査信号では、選択状態の期間中にクロック信号ＣＬＹが低電位から高電位へと切り替わり、第二フィールド画像２−ｆｉｅｌｄを形成する走査信号では、選択状態の期間中にクロック信号ＣＬＹが高電位から低電位へと切り替わっている。要するに、第二フィールド画像２−ｆｉｅｌｄ形成時に現れる選択期間−３と選択期間−４とではクロック信号ＣＬＹが低電位から高電位へと切り替わり、第一フィールド画像１−ｆｉｅｌｄ形成時に現れる選択期間−１と選択期間−２とではクロック信号ＣＬＹが高電位から低電位へと切り替わっている。
【００７８】
尚、本実施形態では、ずらしラインペア走査ＳＬＰを用いて偶数画像を形成し、飛び越し走査Ｓｋｐを用いて奇数画像を形成したが、これとは反対に、ずらしラインペア走査ＳＬＰを用いて奇数画像を形成し、飛び越し走査Ｓｋｐを用いて偶数画像を形成しても良い。又、選択期間−３と選択期間−４とではクロック信号ＣＬＹが低電位から高電位へと切り替わり、選択期間−１と選択期間−２とではクロック信号ＣＬＹが高電位から低電位へと切り替わる構成としても良い。
【００７９】
本発明は上述した実施形態に限定されず、上述した実施形態に種々の変更や改良などを加えることが可能である。
【符号の説明】
【００８０】
１０…立体視用眼鏡、２…右眼用シャッター、１４…左眼用シャッター、２０…電気光学装置、３０…制御装置、３１…眼鏡制御回路、３２…表示制御回路、３３…記憶回路、４２…表示領域、４４…駆動回路、４８…画素、５０…駆動装置、１００…信号生成回路、１１０…シフトレジスター、１２０…第一ＡＮＤ回路、１３０…第二ＡＮＤ回路、２０１…第一パネル、２０２…第二パネル、２０３…第三パネル、４４１…走査線駆動回路、４４３…信号線駆動回路、４６２…走査線、４６４…信号線、４８１…画素電極、４８３…共通電極、４８５…液晶、４８７…選択スイッチ、１０００…投射型表示装置、１１００…照明光学系、１３００…投射光学系、１４００…投射面。
【図１】
2014122951.tif 000003
【図２】
2014122951.tif 000004
【図３】
2014122951.tif 000005
【図４】
2014122951.tif 000006
【図５】
2014122951.tif 000007
【図６】
2014122951.tif 000008
【図７】
2014122951.tif 000009
【図８】
2014122951.tif 000010
【図９】
2014122951.tif 000011